(57)【要約】【課題】  水中操作時にカテーテルをシースにスムーズに挿入可能で扱い易く、空気混入を抑制することができる医療用トレイを提供すること。【解決手段】  底部２ａと底部２ａを囲んで設けられた外周壁部２ｂ，２ｃとを有するトレイ本体２と、互いに対向する外周壁部２ｂ，２ｃの部分から互いに逆方向に突出した一対の突出部３Ａ，３Ｂとを備え、突出部３Ａ，３Ｂが、突出方向に延在しカテーテルの一部又はシースの一部が載置可能なガイド溝４を有している。【選択図】      図１
2020048929.tif 000002
【特許請求の範囲】
【請求項１】
底部と前記底部を囲んで設けられた外周壁部とを有するトレイ本体と、
互いに対向する前記外周壁部の部分から互いに逆方向に突出した一対の突出部とを備え、
前記突出部が、突出方向に延在しカテーテルの一部又はシースの一部が載置可能なガイド溝を有していることを特徴とする医療用トレイ。
【請求項２】
請求項１に記載の医療用トレイにおいて、
前記ガイド溝の溝深さが、前記突出部の先端から基端に向けて漸次深く設定されていることを特徴とする医療用トレイ。
【請求項３】
請求項１又は２に記載の医療用トレイにおいて、
前記ガイド溝の溝幅が、前記突出部の先端から基端に向けて漸次広く設定されていることを特徴とする医療用トレイ。
【請求項４】
請求項１から３のいずれか一項に記載の医療用トレイにおいて、
一対の前記突出部のうち一方が、他方よりも前記突出部の先端における前記ガイド溝の溝幅が広く設定され前記シースのグリップが載置可能とされていることを特徴とする医療用トレイ。
【発明の詳細な説明】
【技術分野】
【０００１】
本発明は、医療器具であるカテーテルを体内に挿入する際の補助器具として用いる医療用トレイである。
【背景技術】
【０００２】
心臓カテーテル手術、特に静脈を経由して行うことの多い不整脈手術は、高い有効性の反面、空気塞栓による脳梗塞・心筋梗塞・ショック等のリスクがある。近年、医療技術の進歩の反面、カテーテルデバイスは逆に次第に太くなっており、空気塞栓が発症しやすい状況となっている。
【０００３】
カテーテルやシースを介して空気の体内への混入理由は様々であるが、シースにカテーテルを挿入する際、あるいは手技中にシースとカテーテルとの同軸性が保てず、シースのバルブとカテーテルとの間が陰圧に対して脆弱になる条件下で、かつ深吸気による胸腔内陰圧の条件が重なることで、体内への空気混入が発生すると考えられている。これを防ぐために、従来、シースにカテーテルを挿入する際に水中操作することが行われている。
【０００４】
例えば、特許文献１〜３には、カテーテルやガイドワイヤなど血管内に挿入される器具を予め生理食塩水等に浸しておくことにより、血管内への空気の混入を防ぐ作業が行うための医療用トレイが記載されている。これらの医療用トレイは、底板とその周囲を囲むように設けられた壁部材とを有する箱体であり、この中に生理食塩水等が満たされ、カテーテルやガイドワイヤ等の器具が浸漬される。
【先行技術文献】
【特許文献】
【０００５】
【特許文献１】特開２００５−２８７７９８号公報
【特許文献２】特開２０１１−２００３８４号公報
【特許文献３】特開２０１１−１８２８６４号公報
【発明の概要】
【発明が解決しようとする課題】
【０００６】
上記従来の技術には、以下の課題が残されている。
すなわち、上記従来の医療用トレイでは、単なる箱型形状であるため、生理食塩水等を満たした状態でシースにカテーテルを挿入する際、スムーズに操作してカテーテルを挿入することが難しく、扱いづらいことから空気混入するおそれがあった。
【０００７】
本発明は、前述の課題に鑑みてなされたもので、水中操作時にカテーテルをシースにスムーズに挿入可能で扱い易く、空気混入を抑制することができる医療用トレイを提供することを目的とする。
【課題を解決するための手段】
【０００８】
本発明は、前記課題を解決するために以下の構成を採用した。すなわち、第１の発明に係る医療用トレイは、底部と前記底部を囲んで設けられた外周壁部とを有するトレイ本体と、互いに対向する前記外周壁部の部分から互いに逆方向に突出した一対の突出部とを備え、前記突出部が、突出方向に延在しカテーテルの一部又はシースの一部が載置可能なガイド溝を有していることを特徴とする。
【０００９】
この医療用トレイでは、一対の突出部が、突出方向に延在しカテーテルの一部又はシースの一部が載置可能なガイド溝を有しているので、トレイ本体に生理食塩水等を満たした状態でカテーテルをシースに挿入する水中操作を行う際、一対の突出部のうち一方のガイド溝上にシースの一部（グリップ部分等）を載置すると共に、一対の突出部のうち他方のガイド溝上にカテーテルを通してその一部を載置することができる。これにより、水中操作時に一方の突出部のガイド溝でシースが保持されると共に、他方の突出部のガイド溝によりカテーテルがガイドされることで、扱い易くなり、カテーテルのシースへの挿入操作をスムーズかつ同軸性を保持しつつ安定して行うことができ、空気混入を抑制することが可能になる。
【００１０】
第２の発明に係る医療用トレイは、第１の発明において、前記ガイド溝の溝深さが、前記突出部の先端から基端に向けて漸次深く設定されていることを特徴とする。
すなわち、この医療用トレイでは、ガイド溝の溝深さが、突出部の先端から基端に向けて漸次深く設定されているので、ガイド溝が先端から基端のトレイ本体に向けて下方に傾いた傾斜面とされ、シースにカテーテルを挿入する際、ガイド溝内のカテーテル及びシースがトレイ本体の底面に向かって傾斜した状態で延在することになり、トレイ本体内での挿入操作をよりスムーズに行うことが可能になる。
【００１１】
第３の発明に係る医療用トレイは、第１又は第２の発明において、前記ガイド溝の溝幅が、前記突出部の先端から基端に向けて漸次広く設定されていることを特徴とする。
すなわち、この医療用トレイでは、ガイド溝の溝幅が、突出部の先端から基端に向けて漸次広く設定されているので、突出部の基端側では溝幅が広く余裕があることでガイド溝内のカテーテル及びシースの自由度が高くなり、トレイ本体内での挿入操作がし易くなると共に、突出部の先端側では溝幅が絞れていることで突出部の外側に延在するカテーテル及びシースを安定させることができる。また、ガイド溝の溝幅が基端に向けて漸次広くなっているので、様々な太さのシースにも対応することが可能になる。
【００１２】
第４の発明に係る医療用トレイは、第１から第３の発明のいずれかにおいて、一対の前記突出部のうち一方が、他方よりも前記突出部の先端における前記ガイド溝の溝幅が広く設定され前記シースのグリップが載置可能とされていることを特徴とする。
すなわち、この医療用トレイでは、一対の突出部のうち一方が、他方よりも突出部の先端におけるガイド溝の溝幅が広く設定されシースのグリップが載置可能とされているので、カテーテルよりも太いシースのグリップを溝幅が広いガイド溝により安定して保持することができる。
【発明の効果】
【００１３】
本発明によれば、以下の効果を奏する。
すなわち、本発明に係る医療用トレイによれば、一対の突出部が、突出方向に延在しカテーテルの一部又はシースの一部が載置可能なガイド溝を有しているので、トレイ本体に生理食塩水等を満たした状態でカテーテルをシースに挿入する水中操作を行う際、扱い易くなり、カテーテルのシースへの挿入操作をスムーズかつ同軸性を保持しつつ安定して行うことができる。
したがって、本発明の医療用トレイを用いることで、水中操作時においてカテーテルやシースを介した体内への空気混入を抑制することができ、空気塞栓による脳梗塞・心筋梗塞・ショック等のリスクを低減することができる。
【図面の簡単な説明】
【００１４】
【図１】本発明に係る医療用トレイの一実施形態を示す斜視図である。
【図２】本実施形態において、医療用トレイを示す平面図である。
【図３】本実施形態において、医療用トレイを示す正面図である。
【図４】本実施形態において、医療用トレイを示す左側面図（ａ）及び右側面図（ｂ）である。
【図５】本実施形態の医療用トレイを用いて、シースへのカテーテルの挿入操作を模擬的に行っている状態を撮影した写真である。
【発明を実施するための形態】
【００１５】
以下、本発明に係る医療用トレイの一実施形態を、図１から図５を参照しながら説明する。
【００１６】
本実施形態の医療用トレイ１は、図１から図５に示すように、底部２ａと底部２ａを囲んで設けられた４つの外周壁部２ｂ，２ｃとを有するトレイ本体２と、互いに対向する外周壁部２ｂ，２ｃの部分から互いに逆方向に突出した一対の突出部３Ａ，３Ｂとを備えている。
上記突出部３Ａ，３Ｂは、突出方向に延在しカテーテルの一部又はシースの一部が載置可能なガイド溝４を有している。
【００１７】
上記ガイド溝４の溝深さＤは、図３に示すように、突出部３Ａ，３Ｂの先端から基端に向けて漸次深く設定されている。すなわち、ガイド溝４の溝深さＤは、トレイ本体２の底部２ａに向けて先端から下方に傾斜した傾斜面である。
また、ガイド溝４の溝幅Ｗは、図２に示すように、突出部３Ａ，３Ｂの先端から基端に向けて漸次広く設定されている。
このように一対の突出部３Ａ，３Ｂは、先細形状を有したノーズ部である。
【００１８】
さらに、一対の突出部３Ａ，３Ｂのうち一方（突出部３Ａ）は、図２に示すように、他方（突出部３Ｂ）よりも突出部３Ａの先端におけるガイド溝４の溝幅Ｗが広く設定されシースのグリップが載置可能とされている。
上記トレイ本体２は、平面視長方形状とされ、長方形の短辺側に一対の外周壁部２ｂが対向状態に設けられていると共に、長方形の長辺側に一対の外周壁部２ｃが対向状態に設けられている。
【００１９】
外周壁部２ｂ，２ｃの上端部は、下部よりも厚く形成され、面取りされている。
このトレイ本体２は、ＰＰ（ポリプロピレン）等の樹脂で形成されており、強度向上のため、二重成形で形成されている。
また、トレイ本体２は、水中操作がし易い程度の大きさ及び深さに設定されている。すなわち、トレイ本体２内に生理食塩水等の水を満たした状態で、水中でシースにカテーテルを両手で挿入操作し易い大きさ及び深さに設定される。
【００２０】
本実施形態の医療用トレイ１を使用してシースにカテーテルを挿入する場合、まずトレイ本体２内に生理食塩水等の水を満たしておく。この状態で、図５に示すように、一対の突出部３Ａ，３Ｂのうち一方（突出部３Ａ）のガイド溝４にシースのグリップを載置すると共に、グリップの先端をトレイ本体２内の水中に沈める。一対の突出部３Ａ，３Ｂのうち他方（突出部３Ｂ）のガイド溝４上にカテーテルを通し、その先端をトレイ本体２内の水中に沈める。
【００２１】
このようにシースのグリップ先端とカテーテル先端との両方をトレイ本体２内の水中に沈めた状態で、シースのグリップ内にカテーテルの先端を挿入していく。このとき、シースのグリップは、突出部３Ａのガイド溝４に嵌まった状態で保持されていると共に、カテーテルは、突出部３Ａとは反対側の突出部３Ｂのガイド溝４によりガイドされてスムーズに挿入操作される。
なお、図５に示す写真は、撮影の都合上、トレイ本体に水を張らない状態で挿入操作を模擬的に行って撮影したものである。
【００２２】
このように本実施形態の医療用トレイ１では、一対の突出部３Ａ，３Ｂが、突出方向に延在しカテーテルの一部又はシースの一部が載置可能なガイド溝４を有しているので、トレイ本体２に生理食塩水等の水を満たした状態でカテーテルをシースに挿入する水中操作を行う際、一対の突出部３Ａ，３Ｂのうち一方（突出部３Ａ）のガイド溝４上にシースの一部（グリップ部分等）を載置すると共に、一対の突出部３Ａ，３Ｂのうち他方（突出部３Ｂ）のガイド溝４上にカテーテルを通してその一部を載置することができる。
【００２３】
これにより、水中操作時に一方の突出部３Ａのガイド溝４でシースが保持されると共に、他方の突出部３Ｂのガイド溝４によりカテーテルがガイドされることで、扱い易くなり、カテーテルのシースへの挿入操作をスムーズかつ安定して行うことができ、空気混入を抑制することが可能になる。
【００２４】
また、ガイド溝４の溝深さＤが、突出部３Ａ，３Ｂの先端から基端に向けて漸次深く設定されているので、ガイド溝４が先端から基端のトレイ本体２に向けて下方に傾いた傾斜面とされ、シースにカテーテルを挿入する際、ガイド溝４内のカテーテル及びシースがトレイ本体２の底面に向かって傾斜した状態で延在することになり、トレイ本体２内での挿入操作をよりスムーズに行うことが可能になる。
【００２５】
また、ガイド溝４の溝幅Ｗが、突出部３Ａ，３Ｂの先端から基端に向けて漸次広く設定されているので、突出部３Ａ，３Ｂの基端側では溝幅Ｗが広く余裕があることでガイド溝４内のカテーテル及びシースの自由度が高くなり、トレイ本体２内での挿入操作がし易くなると共に、突出部３Ａ，３Ｂの先端側では溝幅Ｗが絞れていることで突出部３Ａ，３Ｂの外側に延在するカテーテル及びシースを安定させることができる。また、ガイド溝４の溝幅Ｗが基端に向けて漸次広くなっているので、様々な太さのシースにも対応することが可能になる。
【００２６】
さらに、一対の突出部３Ａ，３Ｂのうち一方（突出部３Ａ）が、他方よりも突出部（突出部３Ｂ）の先端におけるガイド溝４の溝幅Ｗが広く設定されシースのグリップが載置可能とされているので、カテーテルよりも太いシースのグリップを溝幅Ｗが広いガイド溝４により安定して保持することができる。
【００２７】
なお、本発明の技術範囲は上記実施形態に限定されるものではなく、本発明の趣旨を逸脱しない範囲において種々の変更を加えることが可能である。
【００２８】
例えば、上記実施形態では平面視長方形状のトレイ本体を採用しているが、他の形状、例えば平面視楕円形状等のトレイ本体を採用しても構わない。この場合、トレイ本体は底部を楕円形状の外周壁部が囲んで構成される。
また、本発明の医療用トレイは、シースへのカテーテルの挿入操作に使用するが、シースへのガイドワイヤの挿入にも使用される。
【産業上の利用可能性】
【００２９】
本発明の医療用トレイは、医療器具であるカテーテルをシースに挿入する際の補助器具として用いるものであり、トレイに満たした生理食塩水等の水中でシース内にカテーテルを挿入する操作を補助するものである。特に、本発明の医療用トレイは、常に水中でシースへのカテーテル挿入の操作が可能になり、空気混入を予防することができるカテーテル専用トレイである。
【符号の説明】
【００３０】
１…医療用トレイ、２…トレイ本体、２ａ…底部、２ｂ，２ｃ…外周壁部、３Ａ，３Ｂ…突出部、４…ガイド溝、Ｄ…ガイド溝の溝深さ、Ｗ…ガイド溝の溝幅
【図１】
2020048929.tif 000003
【図２】
2020048929.tif 000004
【図３】
2020048929.tif 000005
【図４】
2020048929.tif 000006
【図５】
2020048929.tif 000007
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
底部と前記底部を囲んで設けられた外周壁部とを有するトレイ本体と、
前記外周壁部の部分から突出した突出部とを備え、
前記突出部が、突出方向に延在しカテーテルの一部又はシースの一部が載置可能なガイド溝を有していることを特徴とする医療用トレイ。
【請求項２】
請求項１に記載の医療用トレイにおいて、
前記ガイド溝の溝深さが、前記突出部の先端から基端に向けて漸次深く設定されていることを特徴とする医療用トレイ。
【請求項３】
請求項１又は２に記載の医療用トレイにおいて、
前記ガイド溝の溝幅が、前記突出部の先端から基端に向けて漸次広く設定されていることを特徴とする医療用トレイ。
【請求項４】
請求項１から３のいずれか一項に記載の医療用トレイにおいて、
互いに対向する前記外周壁部の部分から互いに逆方向に突出した一対の前記突出部が設けられていることを特徴とする医療用トレイ。
【請求項５】
請求項４に記載の医療用トレイにおいて、
一対の前記突出部のうち一方が、他方よりも前記突出部の先端における前記ガイド溝の溝幅が広く設定され前記シースのグリップが載置可能とされていることを特徴とする医療用トレイ。
【手続補正２】
【補正対象書類名】明細書
【補正対象項目名】０００８
【補正方法】変更
【補正の内容】
【０００８】
本発明は、前記課題を解決するために以下の構成を採用した。すなわち、第１の発明に係る医療用トレイは、底部と前記底部を囲んで設けられた外周壁部とを有するトレイ本体と、前記外周壁部の部分から突出した突出部とを備え、前記突出部が、突出方向に延在しカテーテルの一部又はシースの一部が載置可能なガイド溝を有していることを特徴とする。
【手続補正３】
【補正対象書類名】明細書
【補正対象項目名】０００９
【補正方法】変更
【補正の内容】
【０００９】
この医療用トレイでは、突出部が、突出方向に延在しカテーテルの一部又はシースの一部が載置可能なガイド溝を有しているので、トレイ本体に生理食塩水等を満たした状態でカテーテルをシースに挿入する水中操作を行う際、突出部のガイド溝上にシースの一部（グリップ部分等）を載置、又はカテーテルを通してその一部を載置することができる。これにより、水中操作時に突出部のガイド溝でシースが保持される、又はカテーテルがガイドされることで、扱い易くなり、カテーテルのシースへの挿入操作をスムーズかつ同軸性を保持しつつ安定して行うことができ、空気混入を抑制することが可能になる。
【手続補正４】
【補正対象書類名】明細書
【補正対象項目名】００１２
【補正方法】変更
【補正の内容】
【００１２】
第４の発明に係る医療用トレイは、第１から第３の発明のいずれかにおいて、互いに対向する前記外周壁部の部分から互いに逆方向に突出した一対の前記突出部が設けられていることを特徴とする。
すなわち、この医療用トレイでは、一対の突出部が、突出方向に延在しカテーテルの一部又はシースの一部が載置可能なガイド溝を有しているので、トレイ本体に生理食塩水等を満たした状態でカテーテルをシースに挿入する水中操作を行う際、一対の突出部のうち一方のガイド溝上にシースの一部（グリップ部分等）を載置すると共に、一対の突出部のうち他方のガイド溝上にカテーテルを通してその一部を載置することができる。これにより、水中操作時に一方の突出部のガイド溝でシースが保持されると共に、他方の突出部のガイド溝によりカテーテルがガイドされることで、扱い易くなり、カテーテルのシースへの挿入操作をスムーズかつ同軸性を保持しつつ安定して行うことができ、空気混入を抑制することが可能になる。
第５の発明に係る医療用トレイは、第４の発明のいずれかにおいて、一対の前記突出部のうち一方が、他方よりも前記突出部の先端における前記ガイド溝の溝幅が広く設定され前記シースのグリップが載置可能とされていることを特徴とする。
すなわち、この医療用トレイでは、一対の突出部のうち一方が、他方よりも突出部の先端におけるガイド溝の溝幅が広く設定されシースのグリップが載置可能とされているので、カテーテルよりも太いシースのグリップを溝幅が広いガイド溝により安定して保持することができる。
【手続補正５】
【補正対象書類名】明細書
【補正対象項目名】００１３
【補正方法】変更
【補正の内容】
【００１３】
本発明によれば、以下の効果を奏する。
すなわち、本発明に係る医療用トレイによれば、突出部が、突出方向に延在しカテーテルの一部又はシースの一部が載置可能なガイド溝を有しているので、トレイ本体に生理食塩水等を満たした状態でカテーテルをシースに挿入する水中操作を行う際、扱い易くなり、カテーテルのシースへの挿入操作をスムーズかつ同軸性を保持しつつ安定して行うことができる。
したがって、本発明の医療用トレイを用いることで、水中操作時においてカテーテルやシースを介した体内への空気混入を抑制することができ、空気塞栓による脳梗塞・心筋梗塞・ショック等のリスクを低減することができる。